(57)【要約】【課題】より簡素な構成によってゴーグルの接眼部の汚損を抑制できるとともに、使用者の顔に対して良好にフィットすることが可能なゴーグル用着脱シートを提供する。【解決手段】ゴーグル用着脱シート３０は、使用者に視られる被視体を保持又は具備するゴーグル１０の接眼部１１の外面を覆う状態で、ゴーグル１０に対して着脱可能に取り付けて用いられるゴーグル用着脱シート３０である。ゴーグル用着脱シート３０を介して被視体を視認可能である。ゴーグル用着脱シート３０をゴーグル１０に対して取り付けた状態において、ゴーグル用着脱シート３０が部分的に接眼部１１から離間し、ゴーグル用着脱シート３０が曲げ変形可能である。【選択図】図３
2018198651.tif 000002
【特許請求の範囲】
【請求項１】
使用者に視られる被視体を保持又は具備するゴーグルの接眼部の外面を覆う状態で、前記ゴーグルに対して着脱可能に取り付けて用いられるゴーグル用着脱シートであって、
当該ゴーグル用着脱シートを介して前記被視体を視認可能であり、
当該ゴーグル用着脱シートを前記ゴーグルに対して取り付けた状態において、当該ゴーグル用着脱シートの少なくとも一部分が前記接眼部から離間し、当該ゴーグル用着脱シートが曲げ変形可能であるゴーグル用着脱シート。
【請求項２】
当該ゴーグル用着脱シートは、当該ゴーグル用着脱シートを前記ゴーグルに対して着脱可能に取り付けるための取付部を備えており、当該取付部は、当該ゴーグル用着脱シートを前記接眼部に対して着脱可能に取り付けるものであり、
当該ゴーグル用着脱シートは、当該ゴーグル用着脱シートの横幅方向における両端部にそれぞれ前記取付部を備えており、
当該ゴーグル用着脱シートが前記接眼部に対して取り付けられた状態で、当該ゴーグル用着脱シートが前記接眼部側に向けて凸に変形する請求項１に記載のゴーグル用着脱シート。
【請求項３】
当該ゴーグル用着脱シートは、
当該ゴーグル用着脱シートが前記接眼部に対して取り付けられた状態で、前記接眼部側に向けて凸に変形するシート本体と、
前記シート本体の横幅方向における両端にそれぞれ設けられていて、当該ゴーグル用着脱シートが前記接眼部に対して取り付けられた状態で前記接眼部から起立する一対の脚部と、
を備え、
前記シート本体の横幅方向における中央部と、前記一対の脚部の各々と、にそれぞれ前記取付部が設けられている請求項２に記載のゴーグル用着脱シート。
【請求項４】
前記シート本体の横幅方向における中央部に設けられている前記取付部は、前記接眼部に対して差し込まれる差込片であり、
当該ゴーグル用着脱シートが前記接眼部に対して取り付けられた状態で、前記差込片が当該差込片の根元まで前記接眼部に差し込まれ、平面視において、前記シート本体が前記接眼部の外面に対して接する弧状に湾曲する請求項３に記載のゴーグル用着脱シート。
【請求項５】
使用者に視られる被視体を保持又は具備するとともに、接眼部を有するゴーグルと、
前記接眼部の外面を覆う状態で、前記ゴーグルに対して着脱可能に取り付けられるゴーグル用着脱シートと、
を備え、
前記ゴーグル用着脱シートを介して前記被視体を視認可能であり、
前記ゴーグルは、前記ゴーグル用着脱シートが着脱可能に取り付けられる被取付部を備え、
前記ゴーグル用着脱シートは、当該ゴーグル用着脱シートを前記被取付部に対して着脱可能に取り付けるための取付部を備えており、当該ゴーグル用着脱シートを前記ゴーグルに対して取り付けた状態において、当該ゴーグル用着脱シートの少なくとも一部分が前記接眼部から離間し、当該ゴーグル用着脱シートが曲げ変形可能であるゴーグル装置。
【請求項６】
前記ゴーグル用着脱シートを平坦にした状態において、前記ゴーグル用着脱シートの横幅方向における寸法が、前記ゴーグルの横幅方向における寸法よりも長い請求項５に記載のゴーグル装置。
【請求項７】
前記被取付部は前記接眼部に設けられており、
前記ゴーグル用着脱シートは、当該ゴーグル用着脱シートの横幅方向における両端部にそれぞれ前記取付部を備えており、
前記ゴーグル用着脱シートを平坦にした状態において、前記ゴーグル用着脱シートの横幅方向における両端部の前記取付部どうしの間隔が、これら取付部がそれぞれ取り付けられる前記接眼部の前記被取付部どうしの間隔よりも長く、
当該ゴーグル用着脱シートが前記接眼部に対して取り付けられた状態で、当該ゴーグル用着脱シートが前記接眼部側に向けて凸に変形する請求項５又は６に記載のゴーグル装置。
【請求項８】
前記接眼部の前記外面は平坦面であり、
前記ゴーグル用着脱シートが前記接眼部に対して取り付けられた状態で、平面視において、前記ゴーグル用着脱シートが前記接眼部の外面に対して接する弧状に湾曲する請求項５から７のいずれか一項に記載のゴーグル装置。
【請求項９】
前記ゴーグルは、前記ゴーグル用着脱シートを取り出し可能に収容する筐体であり、
一方の面側に凸の曲げ形状の複数枚の前記ゴーグル用着脱シートが互いに重ねられて、前記ゴーグルに収容されている請求項５から８のいずれか一項に記載のゴーグル装置。
【請求項１０】
前記ゴーグル用着脱シートの一方の面に取り付けられるシート状の目周りケア材を更に備える請求項５から９のいずれか一項に記載のゴーグル装置。
【請求項１１】
前記目周りケア材は前記ゴーグル用着脱シートに対して着脱可能に取り付けて用いられるものであり、
前記ゴーグルは、前記ゴーグル用着脱シート及び前記目周りケア材を取り出し可能に収容する筐体であり、
前記ゴーグル用着脱シートと、前記目周りケア材と、が前記ゴーグルに収容されており、前記ゴーグル用着脱シートの収容数よりも、前記目周りケア材の収容数が多い請求項１０に記載のゴーグル装置。
【発明の詳細な説明】
【技術分野】
【０００１】
本発明は、ゴーグル用着脱シートに関する。
【背景技術】
【０００２】
特許文献１には、外部から画像表示手段を透視可能な開口部を有するゴーグルと、開口部の周囲に設けられた枠部材と、枠部材に対向する一方側が開口部の周囲を覆うことにより使用者の視界を画像表示手段の表示範囲に限定し、他方側が使用者の画面の形状に沿うように形成された接顔弾性部材と、接顔弾性部材の一方側を保持して該接顔弾性部材を枠部材に着脱可能に取り付けるための取付部材と、を備える接顔型画像表示装置が記載されている。
【先行技術文献】
【特許文献】
【０００３】
【特許文献１】特開平８−１４００１４号公報
【発明の概要】
【発明が解決しようとする課題】
【０００４】
特許文献１の接顔型画像表示装置によれば、ゴーグルにおいて開口部が形成された面（つまり接眼部）と顔との間に、取付部材や接顔弾性部材が介在するようにできるため、接眼部に顔の皮脂や汗などの汚れが付着することを抑制できる。
しかしながら、特許文献１の接顔型画像表示装置は、それぞれ上述した構造の枠部材、接顔弾性部材及び取付部材を備える複雑な構造となっている上、使用者の顔に対するフィッティング性が必ずしも十分ではない。
【０００５】
本発明は、より簡素な構成によってゴーグルの接眼部の汚損を抑制できるとともに、使用者の顔に対して良好にフィットすることが可能なゴーグル用着脱シートに関する。
【課題を解決するための手段】
【０００６】
本発明は、使用者に視られる被視体を保持又は具備するゴーグルの接眼部の外面を覆う状態で、前記ゴーグルに対して着脱可能に取り付けて用いられるゴーグル用着脱シートであって、
当該ゴーグル用着脱シートを介して前記被視体を視認可能であり、
当該ゴーグル用着脱シートを前記ゴーグルに対して取り付けた状態において、当該ゴーグル用着脱シートの少なくとも一部分が前記接眼部から離間し、当該ゴーグル用着脱シートが曲げ変形可能であるゴーグル用着脱シートに関する。
【発明の効果】
【０００７】
本発明によれば、ゴーグル用着脱シートによってゴーグルの接眼部の外面を覆う状態で、ゴーグル用着脱シートをゴーグルに対して着脱可能に取り付けることができる。よって、ゴーグル用着脱シートをゴーグルの接眼部の外面を覆った状態でゴーグルを用いることにより、ゴーグル用着脱シートにより接眼部の外面を保護でき、当該接眼部の外面の汚損を抑制できる。そして、ゴーグル用着脱シートをゴーグルに対して取り付けた状態においてゴーグル用着脱シートの少なくとも一部分が接眼部から離間し、使用者の顔の形状に応じてゴーグル用着脱シートが曲げ変形できるため、ゴーグル用着脱シートが使用者の顔に対して良好にフィットするようにできる。
このように、本発明によれば、ゴーグルに対して着脱可能に取り付けられるゴーグル用着脱シートを備える簡素な構成によって、ゴーグルの接眼部の汚損を抑制できるとともに、ゴーグル用着脱シートが使用者の顔に対して良好にフィットするようにできる。
【図面の簡単な説明】
【０００８】
【図１】第１実施形態に係るゴーグル装置の斜視図である。
【図２】第１実施形態に係るゴーグル装置の平面図である。
【図３】第１実施形態に係るゴーグル装置の分解斜視図である。
【図４】第１実施形態に係るゴーグル装置の構成要素を図３よりも細かく分解した状態を示す分解斜視図である。
【図５】図５（ａ）及び図５（ｂ）は第１実施形態に係るゴーグル装置の側断面図であり、このうち図５（ａ）は図２のＡ−Ａ線に沿った断面図、図５（ｂ）は図２のＢ−Ｂ線に沿った断面図である。
【図６】第１実施形態に係るゴーグル装置のゴーグルの筐体の展開図である。
【図７】第１実施形態に係るゴーグル用着脱シートの展開図である。
【図８】第１実施形態に係るゴーグル装置の目周りケア材としての美容シートを示す平面図である。
【図９】第１実施形態に係るゴーグル装置の使用状態の例を示す平面図である。
【図１０】被視体としての画像表示体が表示する画像の例を示す図である。
【図１１】第２実施形態に係るゴーグル装置の斜視図である。
【図１２】第２実施形態に係るゴーグル装置の断面図である。
【図１３】第３実施形態に係るゴーグル装置の斜視図である。
【図１４】第３実施形態に係るゴーグル装置の断面図である。
【図１５】図１５（ａ）はゴーグル用着脱シートの凸形状の変形例１を示す斜視図であり、図１５（ｂ）は変形例１のゴーグル用着脱シートを備えるゴーグル装置の平面図である。
【図１６】図１６（ａ）はゴーグル用着脱シートの凸形状の変形例２を示す斜視図であり、図１６（ｂ）は変形例２のゴーグル用着脱シートを備えるゴーグル装置の平面図である。
【発明を実施するための形態】
【０００９】
以下、本発明の好ましい実施形態について、図面を用いて説明する。なお、すべての図面において、同様の構成要素には同一の符号を付し、重複する説明は適宜に省略する。
【００１０】
〔第１実施形態〕
先ず、図１から図１０を用いて第１実施形態に係るゴーグル用着脱シート３０（図４、図７）及びゴーグル装置１００（図１から図５（ｂ））について説明する。
なお、本実施形態において、ゴーグル装置１００の各構成要素の位置関係（上下関係等）の説明は、特に断りのない場合は、使用時において使用者を基準とした位置関係を説明したものである。そして、ゴーグル装置１００のゴーグル１０において、使用時に使用者の顔面と相対する方の面（接眼部１１）を正面（前面）とし、正面に対する反対側の面（背面部１６）を背面（後面）とする。ただし、ゴーグル装置１００の各構成要素の位置関係について、各図に示される位置関係を説明する場合もある。
【００１１】
図４及び図７に示すように、本実施形態に係るゴーグル用着脱シート３０は、使用者に視られる被視体を保持又は具備するゴーグル１０の接眼部１１の外面を覆う状態で、ゴーグル１０に対して着脱可能に取り付けて用いられるゴーグル用着脱シート３０である。ゴーグル用着脱シート３０を介して被視体を視認可能である。そして、ゴーグル用着脱シート３０をゴーグル１０に対して取り付けた状態において、ゴーグル用着脱シート３０の少なくとも一部分が接眼部１１から離間し、ゴーグル用着脱シート３０が曲げ変形可能である。
【００１２】
ここで、ゴーグル１０が被視体を保持するとは、写真やスマートフォン（携帯情報端末２０）等の被視体をゴーグル１０に挿入して該ゴーグル１０によって保持可能であることである。また、ゴーグル１０が被視体を具備するとは、ゴーグル１０の内部に被視体としての絵等が描かれていたり、写真等の被視体がゴーグル１０に固定的に設けられていたりすることである。
また、ゴーグル用着脱シート３０を介して被視体を視認可能であるとは、ゴーグル用着脱シート３０が開口３２ａを有するか、又は、ゴーグル用着脱シート３０が透明（透視可能）な材料で構成されていることである。
ゴーグル用着脱シート３０をゴーグル１０に取り付けた状態で、ゴーグル用着脱シート３０の少なくとも一部分が接眼部１１から離間した（前方に浮いた）状態となり、ゴーグル用着脱シート３０に対して使用者の顔を押し当てることによって、ゴーグル用着脱シート３０は使用者の顔にフィットするように曲げ変形する。このとき、ゴーグル用着脱シート３０は、接眼部１１とは独立して曲げ変形する。例えば、ゴーグル用着脱シート３０の横幅方向における両端がそれぞれ支柱（脚部３３）となってゴーグル用着脱シート３０がゴーグル１０に固定され、ゴーグル用着脱シート３０における支柱の近傍の部分が接眼部１１から離間した状態となる。なお、本実施形態の場合、ゴーグル用着脱シート３０の横幅方向における中央部と両端部は、接眼部１１に対して接した状態となる。ただし、本発明は、この例に限らず、ゴーグル用着脱シート３０をゴーグル１０に取り付けた状態で、ゴーグル用着脱シート３０の全体が接眼部１１から離間するようになっていてもよい。
また、ゴーグル用着脱シート３０をゴーグル１０に取り付けた状態で、ゴーグル用着脱シート３０を後方に押し込むときの押し込み力に対するゴーグル用着脱シート３０の変形性は、接眼部１１を後方に押し込むときの押し込み力に対する変形性よりも大きい（変形しやすい）ことが好ましい。したがって、ゴーグル用着脱シート３０は接眼部１１よりも不特定の使用者の顔にフィットするように曲げ変形する。
ゴーグル用着脱シート３０は、ある程度の保形性を有しており、使用者の顔に対して反力を与えつつ変形する。ゴーグル用着脱シート３０の保形性は、例えば、ゴーグル用着脱シート３０をゴーグル１０に取り付けた状態で、ゴーグル用着脱シート３０が上、接眼部１１が下となるようにゴーグル１０及びゴーグル用着脱シート３０を配置したときに、ゴーグル用着脱シート３０が自重では下方に変形しない程度に設定されている。
【００１３】
このようなゴーグル用着脱シート３０によれば、図１及び図２に示すようにゴーグル用着脱シート３０によってゴーグル１０の接眼部１１の外面を覆う状態で、ゴーグル用着脱シートをゴーグルに対して着脱可能に取り付けることができる。よって、図９に示すようにゴーグル用着脱シート３０をゴーグル１０の接眼部１１の外面を覆った状態でゴーグル１０を用いることにより、ゴーグル用着脱シート３０により接眼部１１の外面を保護でき、当該接眼部１１の外面の汚損を抑制できる。例えば、同一の使用者がゴーグル１０を複数回使用する場合に、使用毎にゴーグル用着脱シート３０を交換すること（使い捨てにすることなど）によって、接眼部１１を清潔に維持することができる。同様に、複数の使用者がゴーグル１０を共用する場合に、使用者が変わる度にゴーグル用着脱シート３０を交換することによっても、接眼部１１を清潔に維持することができる。
そして、使用者の顔の形状に応じてゴーグル用着脱シート３０が曲げ変形できるため、ゴーグル用着脱シート３０が使用者の顔６０（図９）に対して良好にフィットするようにでき、安定的にゴーグル１０を使用することがきる。
このように、本実施形態によれば、ゴーグル１０に対して着脱可能に取り付けられるゴーグル用着脱シート３０を備える簡素な構成によって、ゴーグル１０の接眼部１１の汚損を抑制できるとともに、ゴーグル用着脱シート３０が使用者の顔に対して良好にフィットするようにできる。
【００１４】
また、本実施形態に係るゴーグル装置１００は、使用者に視られる被視体を保持又は具備するとともに接眼部１１を有するゴーグル１０と、接眼部１１の外面を覆う状態でゴーグル１０に対して着脱可能に取り付けられるゴーグル用着脱シート３０と、を備え、ゴーグル用着脱シート３０を介して被視体を視認可能であり、ゴーグル１０は、ゴーグル用着脱シート３０が着脱可能に取り付けられる被取付部（例えば、差込スリット１２ａ及び差込スリット１２ｂ）を備え、ゴーグル用着脱シート３０は、当該ゴーグル用着脱シート３０を被取付部に対して着脱可能に取り付けるための取付部（例えば、差込片３１ａ及び差込片３３ａ）を備えており、ゴーグル用着脱シート３０をゴーグル１０に対して取り付けた状態において、ゴーグル用着脱シート３０の少なくとも一部分が接眼部１１から離間し、当該ゴーグル用着脱シート３０が曲げ変形可能である。
【００１５】
以下、より詳細に説明する。
【００１６】
図３に示すように、ゴーグル１０は、筐体状に形成されている。
ゴーグル１０は、例えば、それぞれ平面状の接眼部１１、天面部１３、右側壁部１４、左側壁部１５（図２）、背面部１６（図２）及び底面部１７（図５（ａ）、図５（ｂ））を含む直方体状の形状に形成されている。
接眼部１１と背面部１６とが互いに対向しており、右側壁部１４と左側壁部１５とが互いに対向しており、天面部１３と底面部１７とが互いに対向している。接眼部１１は、使用時に使用者の顔と相対する部位である。
接眼部１１には、使用者の左右の眼とそれぞれ対応する円形又は楕円形などの形状の一対の覗き窓１１ａが形成されている。なお、ここでは、接眼部１１が一対の覗き窓１１ａを有する例を説明するが、本発明は、この例に限らず、接眼部１１が横長の長円形又は矩形などの形状の一つの覗き窓１１ａを有していて、この一つの覗き窓１１ａを介して左右の眼でゴーグル１０の内部を覗き込むことができるようになっていてもよい。
【００１７】
更に、ゴーグル１０には、使用時に使用者の鼻の少なくとも一部分が入り込む鼻よけ部が、接眼部１１から底面部１７に亘って形成されている（図１（ａ）、図２（ｂ））。すなわち、接眼部１１の横幅方向中央部の下端部に形成された鼻よけ部１１ｂと、底面部１７の横幅方向中央部の前端部に形成された鼻よけ部１７ｄとが相互に繋がって、一連の鼻よけ部を構成している。
【００１８】
ゴーグル１０は、使用者に視られる被視体を保持する被視体保持部１９を備えている。
【００１９】
ここで、被視体とは、例えば、動画又は静止画を表示する表示装置であってもよいし、静止画を表示する紙やパネル等（つまり写真等）であってもよい。すなわち、被視体は、画像表示体である。
動画又は静止画としては、例えば、眼球運動を促進するものを用いることができる。眼球運動を促進する動画又は静止画としては、例えば、三次元映像又は三次元画像が挙げられる。
例えば、物体が移動する動画を表示させた場合、当該物体を使用者の眼が追いかけることにより、眼球の移動（上下、左右移動）や、水晶体の緊張及び弛緩が繰り返されるようにできるため、眼の筋力を鍛え、目周りの筋力低下による目元の印象低下を改善できることが期待できる。また、眼の焦点を合わせることによって所定の三次元像を視認可能となるような三次元映像又は三次元画像を表示させた場合にも、水晶体の緊張又は弛緩が行われることによって、同様に、眼の筋力を鍛えることができる。更には、単なる静止画であっても、使用者が自ずと画像の隅々まで見渡したり焦点を合わせたりすることによって、使用者の眼の筋力を鍛えることが可能である。
このような動画又は静止画としては、ＶＲ（Ｖｉｒｔｕａｌ  Ｒｅａｌｉｔｙ）を表現したものや、ＡＲ（Ａｕｇｍｅｎｔｅｄ  Ｒｅａｌｉｔｙ）を表現したものが挙げられる。
被視体は、可搬性のものであることが好ましい。図４に示すように、本実施形態の場合、被視体は、画像を表示する表示画面２１を有する携帯情報端末２０（例えばスマートフォン）である。
なお、本発明は、この例に限らず、被視体は、何らかのものを模した模型（人形や、動物の模型など）や装飾体などのように、画像表示体以外の物体であってもよい。
【００２０】
被視体保持部１９は、例えば、ゴーグル１０の背面側に配置されている。被視体保持部１９は、後述する仕切り板部１８と背面部１６との間に形成された空洞である。
被視体保持部１９の前後幅は、携帯情報端末２０の厚みよりも若干大きく設定されている。
例えば、ゴーグル１０の右側壁部１４が開閉蓋となっており、図４に示すように、右側壁部１４を開いた状態で、被視体保持部１９の内部に携帯情報端末２０を差し入れることができる。携帯情報端末２０を被視体保持部１９に差し入れた後、右側壁部１４を閉じることによって、被視体保持部１９内に携帯情報端末２０を保持させることができるようになっている。
仕切り板部１８は、背面部１６の前方において、天面部１３と底面部１７との間に亘って起立している。仕切り板部１８は、被視体保持部１９と、ゴーグル１０の空洞１０ａ内において被視体保持部１９よりも前側の部分と、を仕切ることにより、被視体保持部１９を形成する。仕切り板部１８には、被視体保持部１９に配置された携帯情報端末２０の表示画面２１を前方から視認させる開口１８ａが形成されている。
【００２１】
一例として、ゴーグル１０は、図６に示すゴーグル構成シート５０を折り曲げて組み立てることによって構成されている。ゴーグル構成シート５０の材料は特に限定されないが、例えば、紙とすることができる。ゴーグル構成シート５０の材料としては、他にプラスチックシート等が挙げられる。例えば、ゴーグル構成シート５０が透明なプラスチックシート等により構成されている場合は、ゴーグル１０には覗き窓１１ａが不要である。
【００２２】
ゴーグル構成シート５０は、例えば、接眼部１１を構成する接眼部構成部５１と、天面部１３を構成する天面部構成部５３及び天面部構成部５２と、底面部１７を構成する底面部構成部５７と、背面部１６を構成する背面部構成部５６と、右側壁部１４を構成する右側壁部構成部５４と、を備えている。
更に、ゴーグル構成シート５０は、左側壁部１５を構成する折り曲げ片５１ｂ、５７ｃ、５６ｂ及び５２ａと、仕切り板部１８を構成する仕切り板構成部５８と、を備えている。
折り曲げ片５１ｂは、折り曲げ片５２ａに対して接着される接着片５１ｃを含んでいる。
折り曲げ片５６ｂは、折り曲げ片５７ｃに対して接着される接着片５６ｃを含んでいる。
接眼部構成部５１には、覗き窓１１ａ及び鼻よけ部１１ｂが形成されている。
底面部構成部５７には、鼻よけ部１７ｄが形成されている。
【００２３】
図６において、底面部構成部５７は接眼部構成部５１の下側に連接されており、背面部構成部５６は底面部構成部５７の下側に連接されており、天面部構成部５２は背面部構成部５６の下側に連接されており、右側壁部構成部５４は天面部構成部５２の右側に連接されており、天面部構成部５３は接眼部構成部５１の上側に連接されており、仕切り板構成部５８は天面部構成部５３の上側に連接されている。
また、折り曲げ片５１ｂは接眼部構成部５１の左側に連接されており、折り曲げ片５７ｃは底面部構成部５７の左側に連接されており、折り曲げ片５６ｂは背面部構成部５６の左側に連接されており、折り曲げ片５２ａは天面部構成部５２の左側に連接されている。
更に、ゴーグル構成シート５０は、図６において接眼部構成部５１の右側に連接されている折り曲げ片５１ａと、底面部構成部５７の右側に連接されている折り曲げ片５７ａと、背面部構成部５６の右側に連接されている折り曲げ片５６ａと、右側壁部構成部５４の右側に連接されている差込片５４ａと、を備えている。
更に、ゴーグル構成シート５０は、図６において天面部構成部５３の上側に連接されている後方延出片５３ａと、後方延出片５３ａの上側に連接されている差込片５３ｂと、仕切り板構成部５８の上側に連接されている接着片５８ａと、接着片５８ａの下側に連接されている後方延出片５８ｂと、後方延出片５８ｂの下側に連接されている差込片５８ｃと、を備えている。
【００２４】
ゴーグル構成シート５０の各部どうしの境界のうち、図６において点線で示されている部分は、折り曲げ線となっている（ただし、折り曲げ片５１ｂと接着片５１ｃとの境界、及び、折り曲げ片５６ｂと接着片５６ｃの境界を除く）。
【００２５】
ゴーグル構成シート５０は、各折り曲げ線において９０度折り曲げられている（図６において山折りされている）。そして、例えば、接着片５８ａが底面部構成部５７（つまり底面部１７）の内面に対して接着されるとともに、天面部構成部５２が天面部構成部５３の上に重ねられて該天面部構成部５３の外面に対して接着されている（図５（ａ）、図５（ｂ）参照）。
底面部構成部５７と背面部構成部５６との境界には差込スリット５９ｂが形成されており、背面部構成部５６と天面部構成部５２との境界には差込スリット５９ａが形成されている。差込スリット５９ａに対して差込片５３ｂが差し込まれており、差込スリット５９ｂに対して差込片５８ｃが差し込まれている（図５（ａ）、図５（ｂ）参照）。
また、底面部構成部５７と折り曲げ片５７ａとの境界には、差込スリット５７ｂが形成されている。この差込スリット５７ｂに対して差込片５４ａが差し込まれることによって、開閉蓋である右側壁部１４が閉じられている。
また、折り曲げ片５１ｂの接着片５１ｃが、折り曲げ片５２ａに対して重ねられて、該折り曲げ片５２ａに対して接着されており、折り曲げ片５６ｂの接着片５６ｃが、折り曲げ片５７ｃに対して重ねられて、該折り曲げ片５７ｃに対して接着されている。そして、折り曲げ片５１ｂ及び折り曲げ片５６ｂの先端部がゴーグル１０の内向きに押し込まれることで、折り曲げ片５１ｂの先端部が折り曲げ片５６ｂ及び折り曲げ片５７ｃに対して係合するとともに、折り曲げ片５６ｂの先端部が折り曲げ片５１ｂ及び折り曲げ片５２ａに対して係合している。
こうして、ゴーグル１０が構成されている。
【００２６】
ここで、図６に示すように、接眼部構成部５１と天面部構成部５３との境界には、差込スリット１２ａ（差込孔）が形成されている。また、接眼部構成部５１と折り曲げ片５１ａとの境界、及び、接眼部構成部５１と折り曲げ片５１ｂとの境界には、それぞれ差込スリット１２ｂ（差込孔）が形成されている。
より詳細には、差込スリット１２ａは、接眼部構成部５１と天面部構成部５３との境界の横幅方向における中央部に配置されており、横幅方向に（水平に）延在している。
また、一方の差込スリット１２ｂは、接眼部構成部５１と折り曲げ片５１ａとの境界の上下方向における中央部に配置されており、上下に延在している。
また、他方の差込スリット１２ｂは、接眼部構成部５１と折り曲げ片５１ｂとの境界の上下方向における中央部に配置されており、上下に延在している。
このように、接眼部１１の横幅方向における中央部の上縁には差込スリット１２ａが設けられており、接眼部１１の横幅方向両端部にはそれぞれ差込スリット１２ｂが設けられている。
【００２７】
一方、ゴーグル用着脱シート３０は、図７に示すように、例えば、シート本体３１と、シート本体３１の横幅方向両側縁にそれぞれ連接されている左右一対の脚部３３と、を備えている。
シート本体３１は、例えば、横長の矩形状に形成されている。脚部３３は、例えば、縦長の矩形状に形成されている。
図４に示すように、ゴーグル用着脱シート３０は、シート本体３１と各脚部３３との境界線である折り曲げ線３４に沿って脚部３３を折り曲げて用いられる。すなわち、各脚部３３は、各脚部３３がシート本体３１の左右両側縁からそれぞれ後方に延びるようにして、折り曲げられる。
例えば、シート本体３１の横幅方向中央部の上縁には、差込片３１ａが連接されている。図４に示すように、ゴーグル用着脱シート３０は、シート本体３１と差込片３１ａとの境界線である折り曲げ線３５に沿って差込片３１ａを折り曲げて用いられる。
また、図４のように各脚部３３が折り曲げられた状態での各脚部３３の後縁には、差込片３３ａが連接されている。
【００２８】
ゴーグル用着脱シート３０のシート本体３１には、例えば、左右一対の開口３２ａと、鼻よけ部３２ｂと、が形成されている。鼻よけ部３２ｂは、シート本体３１の下縁に形成された、逆Ｖ字状ないしは逆Ｕ字状の切欠形状部である。鼻よけ部３２ｂは、シート本体３１の横幅方向において、左右の開口３２ａの間に配置されている。
なお、ここでは、ゴーグル用着脱シート３０が一対の開口３２ａを有する例を説明するが、本発明は、この例に限らず、ゴーグル用着脱シート３０が横長の長円形又は矩形などの形状の一つの開口３２ａを有していて、この一つの開口３２ａを介して左右の眼でゴーグル１０の内部を覗き込むことができるようになっていてもよい。
【００２９】
ゴーグル用着脱シート３０は、例えば、紙又はプラスチックシートなどの可撓性材料により構成されている。なお、ゴーグル用着脱シート３０は、防水性を有する材料であることも好ましく、この場合、ゴーグル用着脱シート３０の耐久性を向上させることができる。
なお、ゴーグル用着脱シート３０が透明なプラスチックシート等により構成されている場合は、ゴーグル用着脱シート３０には開口３２ａが不要である。
【００３０】
図１及び図２に示すように、ゴーグル用着脱シート３０の差込片３１ａがゴーグル１０の差込スリット１２ａに差し込まれるとともに、ゴーグル用着脱シート３０の各差込片３３ａがゴーグル１０の各差込スリット１２ｂに差し込まれることによって、ゴーグル用着脱シート３０がゴーグル１０に対して着脱可能に取り付けられるようになっている。
ゴーグル用着脱シート３０がゴーグル１０に取り付けられた状態で、シート本体３１が接眼部１１側に向けて凸に変形するようになっている。
【００３１】
このように、本実施形態の場合、ゴーグル用着脱シート３０は、当該ゴーグル用着脱シート３０をゴーグル１０に対して着脱可能に取り付けるための取付部（例えば、差込片３１ａ及び差込片３３ａ）を備えている。ゴーグル用着脱シート３０の取付部は、当該ゴーグル用着脱シート３０を接眼部１１に対して着脱可能に取り付けるものである。ゴーグル用着脱シート３０は、ゴーグル用着脱シート３０の横幅方向における両端部にそれぞれ取付部（例えば、差込片３３ａ）を備えており、ゴーグル用着脱シート３０が接眼部１１に対して取り付けられた状態で、ゴーグル用着脱シート３０が接眼部１１側に向けて凸に変形する。
このような構成により、ゴーグル用着脱シート３０をゴーグル１０に対して、安定的に、バランス良く取り付けることができる。また、使用者の顔をゴーグル用着脱シート３０に対して良好にフィットさせることができる。なぜなら、人の顔の概略形状は、前方に向けて凸の形状となっているためである。
なお、ゴーグル用着脱シート３０が接眼部１１側に向けて凸に変形するとは、本実施形態のように円弧状の形状に湾曲する場合の他、後述する変形例のように折れ線状に凸に変形する場合も含まれる。
【００３２】
本実施形態の場合、ゴーグル用着脱シート３０は、ゴーグル用着脱シート３０の横幅方向における中央部にも取付部（例えば、差込片３１ａ）を備えている。これにより、ゴーグル用着脱シート３０が接眼部１１に対して取り付けられた状態で、より容易に、ゴーグル用着脱シート３０が接眼部１１側に向けて凸に変形する。
【００３３】
なお、ゴーグル用着脱シート３０がゴーグル１０に取り付けられた状態で、ゴーグル装置１００を正面視したときに、開口３２ａの少なくとも一部分と、覗き窓１１ａの少なくとも一部分と、が互いに重なるように、開口３２ａ及び覗き窓１１ａが配置されている。よって、使用者は、ゴーグル用着脱シート３０の開口３２ａとゴーグル１０の覗き窓１１ａとを介して、ゴーグル１０の内部を覗き込み、ゴーグル１０内に保持された被視体を視認（例えば携帯情報端末２０の表示画面２１に表示される画像を視認）可能である。
また、ゴーグル用着脱シート３０がゴーグル１０に取り付けられた状態で、ゴーグル１０の鼻よけ部１１ｂの前側にゴーグル用着脱シート３０の鼻よけ部３２ｂが配置されるようになっている。そして、鼻よけ部３２ｂには、使用時に使用者の鼻の少なくとも一部分が入り込むようになっている。
【００３４】
より詳細には、ゴーグル用着脱シート３０は、当該ゴーグル用着脱シート３０が接眼部１１に対して取り付けられた状態で接眼部１１側に向けて凸に変形するシート本体３１と、シート本体３１の横幅方向における両端にそれぞれ設けられていて当該ゴーグル用着脱シート３０が接眼部１１に対して取り付けられた状態で接眼部１１から起立する一対の脚部３３と、を備えている。そして、シート本体３１の横幅方向における中央部と、一対の脚部３３の各々と、にそれぞれ取付部（差込片３１ａ、差込片３３ａ）が設けられている。
このような構成により、シート本体３１の凸形状をより好適に実現することができる。
【００３５】
なお、本発明は、この例に限らず、ゴーグル用着脱シート３０は、シート本体３１の横幅方向における中央部の差込片３１ａを有していなくてもよい。
【００３６】
ゴーグル用着脱シート３０をゴーグル１０に取り付けた状態でのゴーグル用着脱シート３０の凸形状は、例えば、平面視においてＷ字状となっている。より詳細には、ゴーグル用着脱シート３０のシート本体３１は、円弧状に湾曲しており、シート本体３１の横幅方向に中央部ほど接眼部１１に近づいている。
【００３７】
ここで、差込片３１ａと差込片３３ａとは、横幅方向において相互に離間しており、平面視において、ゴーグル用着脱シート３０のシート本体３１における差込片３１ａと差込片３３ａとの間の部分は、接眼部１１から前方に離間している（図２）。
このため、顔でゴーグル用着脱シート３０（特にシート本体３１）を前方に押圧したときに、ゴーグル用着脱シート３０における差込片３１ａと差込片３３ａとの間の部分が良好な自由度で変形（撓曲）することができる。
よって、ゴーグル用着脱シート３０に対する顔のフィット性を更に良好にすることができる。
一例として、図９に示すように、使用状態において、ゴーグル用着脱シート３０における差込片３１ａと差込片３３ａとの間の部分が、顔でシート本体３１を前方に押圧する前の状態（図９に二点鎖線で示される）よりも前方に湾曲し、一対の脚部３３は各脚部３３における手前側の端部が互いに近づく方向に傾倒するような動作を実現できる。
【００３８】
より詳細には、シート本体３１の横幅方向における中央部に設けられている取付部は、接眼部１１に対して差し込まれる差込片３１ａであり、図２に示すように、ゴーグル用着脱シート３０が接眼部１１に対して取り付けられた状態で、差込片３１ａが当該差込片３１ａの根元まで接眼部１１に差し込まれ、平面視において、シート本体３１が接眼部１１の外面に対して接する弧状に湾曲するようになっている。
これにより、シート本体３１の横幅方向における中央部は、顔によって前方に押圧されても、接眼部１１によって支えられるため、ゴーグル用着脱シート３０の変形を適度に抑制することができる。
【００３９】
このため、例えば、ゴーグル１０内の被視体（例えば携帯情報端末２０の表示画面２１）と使用者の眼との距離を、被視体に対して焦点が合うような適切に維持させることができる。
【００４０】
なお、上述のように、本実施形態の場合、接眼部１１は、平面状に形成されている。
すなわち、接眼部１１の外面は平坦面であり、ゴーグル用着脱シート３０が接眼部１１に対して取り付けられた状態で、平面視において、ゴーグル用着脱シート３０（のシート本体３１）が接眼部１１の外面に対して接する弧状に湾曲する。
【００４１】
ここで、本実施形態の場合、図７に示すようにゴーグル用着脱シート３０を平坦にした状態において、ゴーグル用着脱シートの横幅方向における寸法（図７に示す幅Ｗ３）が、ゴーグル１０の横幅方向における寸法（図２に示す幅Ｗ５）よりも長い。
これにより、ゴーグル用着脱シート３０をゴーグル１０に取り付けたときに、ゴーグル用着脱シート３０が接眼部１１側に向けて凸に変形する構成を容易に実現することができるようになっている。
【００４２】
詳細には、本実施形態の場合、図７に示すようにゴーグル用着脱シート３０を平坦にした状態において、ゴーグル用着脱シート３０の横幅方向における両端部の取付部（差込片３３ａ）どうしの間隔（図７に示す幅Ｗ２）が、これら取付部がそれぞれ取り付けられる接眼部１１の被取付部（差込スリット１２ｂ）どうしの間隔（図２に示す幅Ｗ４）よりも長い。
【００４３】
すなわち、被取付部（差込スリット１２ａ、差込スリット１２ｂ）は接眼部１１に設けられており、ゴーグル用着脱シート３０は、当該ゴーグル用着脱シート３０の横幅方向における両端部にそれぞれ取付部（差込片３３ａ）を備えており、ゴーグル用着脱シート３０を平坦にした状態において、ゴーグル用着脱シート３０の横幅方向における両端部の取付部（差込片３３ａ）どうしの間隔（図７の幅Ｗ２）が、これら取付部がそれぞれ取り付けられる接眼部１１の被取付部（差込スリット１２ｂ）どうしの間隔（図２の幅Ｗ４）よりも長く、ゴーグル用着脱シート３０が接眼部１１に対して取り付けられた状態で、ゴーグル用着脱シート３０が接眼部１１側に向けて凸に変形する。
【００４４】
より詳細には、図７に示すようにシート本体３１を平坦にした状態で、シート本体３１の横幅寸法（図７に示す幅Ｗ１）が、ゴーグル用着脱シート３０の横幅方向における両端部の取付部（差込片３３ａ）がそれぞれ取り付けられる接眼部１１の被取付部（差込スリット１２ｂ）どうしの間隔（図２の幅Ｗ４）よりも長い。
これにより、ゴーグル用着脱シート３０をゴーグル１０に取り付けたときに、シート本体３１が接眼部１１側に向けて凸に変形する構成を容易に実現することができるようになっている。
【００４５】
図５（ａ）及び図５（ｂ）に示すように、ゴーグル１０の内部には空洞１０ａが形成されている。
本実施形態の場合、空洞１０ａ内において、図４に示すように、ゴーグル１０の前面側の部分には、接眼部１１の内面に沿って、板状のレンズ保持部材８０が設けられている。
レンズ保持部材８０は、板状の本体部８１と、本体部８１に形成された一対の保持孔８２にそれぞれ嵌め込まれた一対のレンズ８４と、を有している。
レンズ８４は、例えば、凸レンズ又はフレネルレンズとすることができる。
本体部８１の材料は特に限定されないが、本体部８１は、例えば段ボールにより構成されている。図５（ａ）に示すように、保持孔８２は、覗き窓１１ａと対応する位置に配置されている。
更に、図４及び図５（ｂ）に示すように、本体部８１において、鼻よけ部１１ｂと対応する部位には、鼻よけ部８３が形成されている。
【００４６】
なお、ゴーグル装置１００は、必要に応じて、空洞１０ａの内部をより暗くするための暗色シート（不図示）を備えていてもよい。この場合、暗色シートは、ゴーグル１０の内面の少なくとも一部に沿って配置される。
【００４７】
本実施形態の場合、ゴーグル装置１００は、ゴーグル用着脱シート３０の一方の面に取り付けられるシート状の目周りケア材（例えば美容シート９０）を備えている。
このため、使用者がゴーグル装置１００を使用する際に、目周りケア材によって目周りのケアを行うことができる。
上述のように、ゴーグル装置１００の使用時に、使用者の顔がゴーグル用着脱シート３０に対して良好にフィットするため、ゴーグル用着脱シート３０と使用者の顔との間に介在する美容シート９０も使用者の顔に対して良好にフィットするようにできる。よって、美容シート９０の効果を向上させることができる。
【００４８】
例えば、図１等に示すように、美容シート９０は、例えば、ゴーグル用着脱シート３０のシート本体３１の前面から脚部３３の側面の前部に亘って貼り付けて用いられるようになっている。
このため、使用者が美容シート９０を手で押さえて支持することなく、美容シート９０を目周りに近接させた状態で、ゴーグル装置１００を使用することができる。
【００４９】
図８に示すように、美容シート９０は、例えば、基材９１と、基材９１内に収容されている発熱体９２と、を有している。
この場合、発熱体９２は、例えば、被酸化性金属の粒子、電解質及び水を含む発熱組成物の層と、この層を挟持する表裏の吸水性基材シートと、を含んで構成されている。基材９１は、例えば、発熱体９２の表裏にそれぞれ位置する一対の被覆シートにより構成されており、一部分又は全体が通気性を有している。
なお、発熱体９２の一対の被覆シートのうち、使用者の顔側となる一方の被覆シートの通気性は、顔側とは反対側となる他方の被覆シートの通気性よりも高くなっていることが好ましい。
美容シート９０は、保管時には酸素を不透過な軟質包装材により構成された包装袋に封入されてシートパッケージの形態をなしている。シートパッケージには、美容シート９０が折り曲げられた状態（２つ折りの状態等）で封入されていてもよいし、美容シート９０が（折り曲げられていない）平坦な状態で封入されていてもよい。使用時に包装袋から美容シート９０が取り出されることによって、発熱体９２が発熱するとともに蒸気を発生し、この蒸気が通気性を有する基材９１から外部に放出されるようになっている。また、発熱体９２または基材９１は、皮膚浸透性の機能剤を含んで構成されていても良く、この場合には、美容シート９０から蒸気とともに機能剤を放散させることができる。このような機能剤としては、例えば、化粧水、美容液、美容クリーム又は炭酸ジェル等を用いることができる。
【００５０】
より詳細には、美容シート９０は、使用者の眼と対応する一対のシート開口９３を有している。
また、各シート開口９３の周囲にそれぞれ発熱体９２が配置されている。また、例えば、２つの発熱体９２どうしの間において、基材９１の上部及び下部にはそれぞれスリット９４、９５が形成されており、使用者の顔の形状に沿って美容シート９０が変形しやすくなっている。このうち、下側のスリット９５は、使用者の鼻と対応しており、上側のスリット９４よりも長尺に形成されている。なお、美容シート９０は、上側のスリット９５を備えていなくても良い。
【００５１】
本発明において、美容シート９０は、蒸気を放出しない発熱性のもの（温熱シート）であってもよいし、非発熱性（かつ蒸気を発生しないもの）であってもよい。このような美容シート９０としては、例えば、炭酸シートや不織布等により構成された基材シートが美容液、化粧水又は乳液等を含浸することにより構成された美容パックであることが挙げられる。
また、本発明において、目周りケア材は、美容シート９０に限らず、美容液、化粧水又は乳液等の液状の目周りケア剤が軟質包装材により構成された包装袋又は容器（ボトル容器等）に封入されることにより構成されたものであってもよい。この場合、目周りケア剤をゴーグル用着脱シート３０の外面に対して直に塗布した状態又は使用者の顔面に塗布した状態で、ゴーグル装置１００を用いるようにしてもよい。
【００５２】
なお、本実施形態では、ゴーグル１０とゴーグル用着脱シート３０とを使用する際に、美容シート９０等の目周りケア材を併用する例を説明するが、本発明は、この例に限らず、目周りケア材を用いることなく、ゴーグル１０及びゴーグル用着脱シート３０を使用しても良い。
【００５３】
ゴーグル装置１００は、上記のように構成されている。
【００５４】
次に、ゴーグル装置１００の使用方法の例を説明する。
例えば、使用者が美容シート９０のシート開口９３、ゴーグル用着脱シート３０の開口３２ａ、接眼部１１の覗き窓１１ａ、及び、レンズ保持部材８０の保持孔８２を介して、ゴーグル１０の内部を覗くことによって、携帯情報端末２０の表示画面２１を視認可能となるようになっている（図９参照）。使用者が閉空間であるゴーグル１０の中を覗き込んで表示画面２１を視るようにすることによって、没入感を得ることができる。
図５（ａ）に示すように、レンズ保持部材８０の保持孔８２にはレンズ８４が設けられているため、使用者は、レンズ８４を介してゴーグル１０内の表示画面２１を拡大視することができるので、より深い没入感を得ることができる。
【００５５】
図１０は、表示画面２１に表示される画像１３１の一例を示したものである。この画像１３１においては、例えば、第１画像１３１ａと第２画像１３１ｂとが左右に並んで配置されており、これら第１画像１３１ａ及び第２画像１３１ｂを左右の眼で同時に視ることにより、使用者には立体的な画像（三次元画像）として認識されるようになっている。このような画像１３１を三次元画像として認識すべく使用者が眼の焦点の調節を行うことによって、使用者の眼球運動が促進される。
【００５６】
なお、ゴーグル装置１００の使用前の状態（例えば店舗での陳列時の状態）においては、ゴーグル１０とゴーグル用着脱シート３０とが同梱されていることが好ましく、ゴーグル１０とゴーグル用着脱シート３０と美容シート９０とが同梱されていることも好ましい。
すなわち、ゴーグル装置１００は、ゴーグル１０とゴーグル用着脱シート３０とが共通の包装材（不図示）内に同梱されることにより構成されたキット（セット品）、又は、ゴーグル１０とゴーグル用着脱シート３０と美容シート９０が包装材内に同梱されることにより構成されたキットであることが好ましい。
【００５７】
以上のような第１実施形態によれば、ゴーグル用着脱シート３０は、ゴーグル１０の接眼部１１の外面を覆う状態で、ゴーグル１０に対して着脱可能に取り付けて用いられるものであり、曲げ変形可能に構成されている。
よって、図９に示すようにゴーグル用着脱シート３０をゴーグル１０の接眼部１１の外面を覆った状態でゴーグル１０を用いることにより、ゴーグル用着脱シート３０により接眼部１１の外面を保護でき、当該接眼部１１を清潔に維持することができる。
そして、使用者の顔の形状に応じてゴーグル用着脱シート３０が曲げ変形できるため、ゴーグル用着脱シート３０が使用者の顔６０（図９）に対して良好にフィットすることができるので、安定的にゴーグル１０を使用することがきる。これにより、使用者が被視体を良好に視認できるとともに、ゴーグル１０の使用時の疲労を軽減することができる。例えば、使用者毎の顔の形状や大小にかかわらず、ゴーグル用着脱シート３０を顔６０に対して良好にフィットさせることができる。
本実施形態のようにシート状の目周りケア材（美容シート９０）をゴーグル用着脱シート３０の一方の面に取り付けた状態でゴーグル１０を使用する場合、目周りケア材を顔６０に対して良好に密着させることができるため、目周りのケアを好適に行うことが可能である。
【００５８】
〔第２実施形態〕
次に、図１１及び図１２を用いて第２実施形態を説明する。
本実施形態の場合、ゴーグル装置１００のゴーグル１０が包装箱となっている。そして、ゴーグル１０には、例えば、ゴーグル用着脱シート３０とゴーグル用着脱シート３０の一方の面に貼り付けられた美容シート９０とをそれぞれ有する複数枚のシート体が、相互に積層した状態で収容されている。この状態で、ゴーグル装置１００の輸送や、販売店におけるゴーグル装置１００の陳列などが可能となっている。
上述のように、ゴーグル１０の一端部（例えば右側壁部１４）は開閉蓋となっており、開閉蓋を開くことによって、ゴーグル１０内から美容シート９０とゴーグル用着脱シート３０とを含むシート体を取り出すことができるようになっている。
ゴーグル装置１００の使用時には、一旦、ゴーグル１０内のすべてのシート体を取り出し、ゴーグル装置１００の使用後は、シート体（例えば未使用のシート体）を再びゴーグル１０に収容し、ゴーグル装置１００を保管することができる。
なお、各シート体は、図示しない包装袋（不図示）に個包装されていることが好ましい。特に、美容シート９０が温熱シートである場合（蒸気温熱シートである場合を含む）、酸素を不透過な軟質包装材により構成された包装袋に各シート体が個包装されていることが好ましい。例えば、各シート体を個包装した後で、シート体入りの包装袋を折り曲げることによって、シート体入りの包装袋を、嵩張りを抑制しつつ積み重ねることができる。
ゴーグル１０内に収容されているシート体の枚数は特に限定されない。図１１及び図１２の例では、例えば、５枚のシート体が積層状態でゴーグル１０に収容されている。
【００５９】
ここで、本実施形態の場合、美容シート９０とゴーグル用着脱シート３０とをそれぞれ含む複数のシート体が、湾曲状態で互いに重ねられて、ゴーグル１０内に収容されている。
シート体の湾曲形状は、特に限定されないが、本実施形態の場合、図１２に示すように、Ｗ字状となっている。
【００６０】
このように、本実施形態の場合、ゴーグル１０は、ゴーグル用着脱シート３０（例えばゴーグル用着脱シート３０と美容シート９０とを含むシート体）を取り出し可能に収容する筐体であり、一方の面側に凸に曲がった状態の複数枚のゴーグル用着脱シート３０（例えばゴーグル用着脱シート３０と美容シート９０とを含むシート体）が互いに重ねられて、ゴーグル１０に収容されている。
このような構成により、一のゴーグル１０を複数枚のシート体に共用できるので、例えば、シート体は使い捨てとする一方でゴーグル１０は再利用することや、一のゴーグル１０を複数の使用者で共用することなどをより容易に行うことができる。
【００６１】
なお、本発明は、この例に限らず、美容シート９０はゴーグル用着脱シート３０とは別に個包装されてシートパッケージの形態となっていてゴーグル１０に複数収容されているとともに、美容シート９０が貼り付けられていない複数のゴーグル用着脱シート３０が積層されてゴーグル１０に収容されていてもよい。
【００６２】
〔第３実施形態〕
次に、図１３及び図１４を用いて第３実施形態を説明する。
本実施形態の場合も、ゴーグル装置１００のゴーグル１０が包装箱となっている。
ただし、本実施形態の場合、ゴーグル１０には、ゴーグル用着脱シート３０と目周りケア材（例えば美容シート９０）とがそれぞれ収容されており、且つ、ゴーグル用着脱シート３０の収容数よりも、目周りケア材の収容数の方が多くなっている。
本実施形態の場合、例えば、目周りケア材（美容シート９０）は、それぞれ包装袋に個包装されて、シートパッケージ１１０の形態となっている。
目周りケア材には、例えば、図示しない両面テープや接着剤などが設けられており、目周りケア材を包装袋から取り出して、該目周りケア材をゴーグル用着脱シート３０に対して着脱可能に貼り付けて用いることができるようになっている。
【００６３】
このように、本実施形態の場合、目周りケア材（例えば美容シート９０）はゴーグル用着脱シート３０に対して着脱可能に取り付けて用いられるものであり、ゴーグル１０は、ゴーグル用着脱シート３０及び目周りケア材を取り出し可能に収容する筐体であり、ゴーグル用着脱シート３０と、目周りケア材と、がゴーグル１０に収容されており、ゴーグル用着脱シート３０の収容数よりも、目周りケア材の収容数が多い。
このような構成により、複数の目周りケア材を用いる際に、一のゴーグル用着脱シート３０の再利用が可能となる。
【００６４】
ゴーグル１０内に収容されている目周りケア材の数は特に限定されない。図１３及び図１４の例では、例えば、１０個の目周りケア材（シートパッケージ１１０の形態のもの）がゴーグル１０内に収容されている。
また、ゴーグル１０内に収容されているゴーグル用着脱シート３０の数は、目周りケア材の数よりも少ない限りにおいて、特に限定されない。例えば、１枚のゴーグル用着脱シート３０がゴーグル１０内に収容されている。
【００６５】
ここで、本実施形態の場合、ゴーグル用着脱シート３０を平坦にした状態でのゴーグル用着脱シート３０の横幅方向における寸法（図７に示す幅Ｗ３に相当）が、ゴーグル１０の横幅方向における内寸よりも小さい寸法に設定されている。このため、図１３及び図１４に示すように、ゴーグル用着脱シート３０を曲げ変形させずに平坦な状態でゴーグル１０内に収容させることができる。このため、ゴーグル１０内におけるゴーグル用着脱シート３０の嵩張りを抑制できるため、例えば、より多くの目周りケア材（例えばシートパッケージ１１０の形態のもの）をゴーグル１０内に収容させることが可能となり、また、ゴーグル用着脱シート３０を折り曲げる必要が無いため工場の製造ラインにおいてゴーグル用着脱シート３０をゴーグル１０内に収容させる動作をより容易且つ確実に行うことができる。
また、差込スリット１２ｂは、接眼部１１の横幅方向における両端部ではなく、該両端部よりも中心寄りの位置に配置されている。
【００６６】
＜変形例１＞
次に、図１５（ａ）及び図１５（ｂ）を用いて、ゴーグル用着脱シート３０の凸形状の変形例１について説明する。
本変形例の場合も、ゴーグル用着脱シート３０がゴーグル１０に取り付けられた状態で、平面視におけるゴーグル用着脱シート３０の全体形状は、Ｗ字状となる。
ただし、本変形例の場合、ゴーグル用着脱シート３０がゴーグル１０に取り付けられた状態で、シート本体３１は、平面視において、シート本体３１が接眼部１１の外面に対して接する逆Ｖ字状に変形するようになっている。すなわち、シート本体３１は、横幅方向における中央部の折れ曲がり部を境界とする２つの平面部により構成され、シート本体３１の折れ曲がり部が接眼部１１の外面に対して接するようになっている。
本変形例の場合、シート本体３１は、当該シート本体３１の横幅方向における中央部の折り曲げ線３７に沿って折れ曲がり、平面視逆Ｖ字状に変形するようになっている。
なお、本変形例の場合、シート本体３１を折り曲げ線３７においてより急峻に折り曲げることができるように、差込片３１ａの左右両端部とシート本体３１との間の各々に、シート本体３１と折り曲げ線３５との境界に沿った切れ込み３８（図１５（ａ））が形成されていてもよい。
【００６７】
＜変形例２＞
次に、図１６（ａ）及び図１６（ｂ）を用いて、ゴーグル用着脱シート３０の凸形状の変形例２について説明する。
本変形例の場合も、ゴーグル用着脱シート３０がゴーグル１０に取り付けられた状態で、平面視におけるゴーグル用着脱シート３０の全体形状は、Ｗ字状となる。
ただし、本変形例の場合、ゴーグル用着脱シート３０がゴーグル１０に取り付けられた状態で、シート本体３１の横幅方向における中央部は、平面視において横幅方向に延在する直線状となり、この直線状の中央部が接眼部１１の外面に対して接するようになっている。また、シート本体３１において、直線状の中央部の両側の部分は、それぞれ平面部となっている。
本変形例の場合、シート本体３１は、例えば、平面視において差込片３１ａの両端部とそれぞれ対応する位置に配置された一対の折り曲げ線３６に沿って折れ曲がり、平面視において直線状の中央部を有する形状に変形するようになっている。
【００６８】
本発明は上記の実施形態及び各変形例に限定されるものではなく、本発明の目的が達成される限りにおける種々の変形、改良等の態様も含む。
【００６９】
例えば、上記においては、ゴーグル用着脱シート３０の取付部（差込片３１ａ及び差込片３３ａ）が、ゴーグル用着脱シート３０を接眼部１１に対して着脱可能に取り付けるものである例を説明したが、本発明は、この例に限らない。すなわち、取付部は、ゴーグル用着脱シート３０をゴーグル１０における接眼部１１以外の部位（天面部１３、右側壁部１４、左側壁部１５、背面部１６、底面部１７のいずれか）に対して着脱可能に取り付けることによって、ゴーグル用着脱シート３０が接眼部１１の外面を覆う状態にすることが可能に構成されていてもよい。この場合、ゴーグル用着脱シート３０をゴーグル１０に取り付けた状態で、ゴーグル用着脱シート３０の全体が接眼部１１から離間する構成を実現しうる。
【００７０】
また、ゴーグル用着脱シート３０は、粘着テープでゴーグル１０に対して着脱可能に取り付けることができるようになっていてもよい。すなわち、取付部は、例えば、ゴーグル用着脱シート３０に設けられた両面テープ等の貼付材とすることができる。
【００７１】
各取付部（差込片３１ａ、差込片３３ａ）が、各々と対応する１つの被取付部（差込スリット１２ａ、差込スリット１２ｂ）に対して取り付けられる例を説明したが、本発明は、この例に限らない。
例えば、上述した一対の差込片３３ａのうちの左側の差込片３３ａを取り付け可能な複数の差込スリット１２ｂが、接眼部１１の左半部の横幅方向における複数箇所に形成されているとともに、右側の差込片３３ａを取り付け可能な複数の差込スリット１２ｂが接眼部１１の右半部の横幅方向における複数箇所に形成されていてもよい。この場合、各差込片３３ａを使用者の顔のサイズや顔の形状に応じた差込スリット１２ｂに対して選択的に差し込んでゴーグル用着脱シート３０をゴーグル１０に取り付けることができる。
【００７２】
また、上記の各実施形態及び変形例は、本発明の主旨を逸脱しない範囲で、適宜に組み合わせることができる。
【符号の説明】
【００７３】
１０  ゴーグル
１０ａ  空洞
１１  接眼部
１１ａ  覗き窓
１１ｂ  鼻よけ部
１２ａ、１２ａ  差込スリット（差込孔、被取付部）
１３  天面部
１４  右側壁部
１５  左側壁部
１６  背面部
１７  底面部
１７ｄ  鼻よけ部
１８  仕切り板部
１８ａ  開口
１９  被視体保持部
２０  携帯情報端末（被視体）
２１  表示画面
３０  ゴーグル用着脱シート
３１  シート本体
３１ａ  差込片（取付部）
３２ａ  開口
３２ｂ  鼻よけ部
３３  脚部
３３ａ  差込片（取付部）
３４、３５、３６、３７  折り曲げ線（罫線）
３８  切れ込み
５０  ゴーグル構成シート
５１  接眼部構成部
５１ａ、５１ｂ  折り曲げ片
５１ｃ  接着片
５２  天面部構成部
５２ａ  折り曲げ片
５３  天面部構成部
５３ａ  後方延出片
５３ｂ  差込片
５４  右側壁部構成部
５４ａ  差込片
５６  背面部構成部
５６ａ、５６ｂ  折り曲げ片
５６ｃ  接着片
５７  底面部構成部
５７ａ  折り曲げ片
５７ｂ  差込スリット
５７ｃ  折り曲げ片
５８  仕切り板構成部
５８ａ  接着片構成部
５８ｂ  後方延出片
５８ｃ  差込片
５８ｄ  切欠形状部
５９ａ、５９ｂ  差込スリット
６０  顔
８０  レンズ保持部材
８１  本体部
８２  保持孔
８３  鼻よけ部
８４  レンズ
９０  美容シート（目周りケア材）
９１  基材
９２  発熱体
９３  シート開口
９４、９５  スリット
１００  ゴーグル装置
１１０  シートパッケージ
１３１  画像
１３１ａ  第１画像
１３１ｂ  第２画像
【図１】
2018198651.tif 000003
【図２】
2018198651.tif 000004
【図３】
2018198651.tif 000005
【図４】
2018198651.tif 000006
【図５】
2018198651.tif 000007
【図６】
2018198651.tif 000008
【図７】
2018198651.tif 000009
【図８】
2018198651.tif 000010
【図９】
2018198651.tif 000011
【図１０】
2018198651.tif 000012
【図１１】
2018198651.tif 000013
【図１２】
2018198651.tif 000014
【図１３】
2018198651.tif 000015
【図１４】
2018198651.tif 000016
【図１５】
2018198651.tif 000017
【図１６】
2018198651.tif 000018